(57)【要約】      （修正有）【課題】金属製昇降用ステップが危険な状態になっている既設マンホールの更生を簡単に行うことができ、しかも安全且つスムーズにマンホールの昇降することが出来るマンホールを提供すると共に、これからの新設マンホールの製造の簡単化に役立つマンホール及びそれにマンホール用梯子を提供する。【解決手段】マンホール蓋受枠本体１の内側に設けられたハンドグリップ２の補助梯子用の補助梯子挿入孔に梯子４の上部に設けた梯子連結部材４１，４１をボルト４２，４２とナットを介して固定し、前記梯子４の側面にストッパー兼用連結部材を介して安全帯のフック取付杆５を設け、且つ、ベース部７１がマンホール内壁に接する支持脚７を設ける。【選択図】図２
0003157590.tif 000002
【実用新案登録請求の範囲】
【請求項１】
マンホール蓋受枠本体の内側に梯子取付部を設け、この梯子取付部に梯子の上部を固定し、且つ前記梯子の側面にストッパー兼用連結部材を介して安全帯のフック取付杆を並設すると共に、この梯子の支柱のマンホール内壁に対向する側に、ベース部がマンホール内壁に接する適数の支持脚を設けたことを特徴とするマンホール。
【請求項２】
支柱上部に前記マンホール蓋受枠に設けた梯子取付部に接続する梯子連結部材を設け、且つ前記支柱の側面にストッパー兼用連結部材を介して安全帯のフック取付杆を並設すると共に、前記支柱のマンホール内壁に対向する側に、ベース部がマンホール内壁に接する適数の支持脚を設けたことを特徴とするマンホール用梯子。
【考案の詳細な説明】
【技術分野】
【０００１】
本考案は、作業員の安全を考慮したマンホール及びそのマンホール用梯子に関するものである。      
【背景技術】
【０００２】
周知のように、上下水道マンホールの直壁、片斜壁、両斜壁には、作業員昇降用の金属製のステップが植設されている。ところが、設置から２０年以上経った既設マンホールに前記ステップが腐食し、昇降が危険な状態になっているものがあり、問題になっている。
【０００３】
この既設マンホールのステップを更生する場合、新設マンホールのように埋設基部をＬ状に屈曲したＵ字状のステップを取り付けることは技術的に困難であり、また梯子をマンホール内壁に取付ける方法は、コンクリートが劣化しているので取付の安全性に問題がある。
【０００４】
また、マンホールの深さが深い場合は、マンホール内に入る作業員は落下を防止するための安全帯を装着し、安全帯から伸びたロープのフックをマンホール蓋受枠又はステップに引っ掛けるが、前者の場合はロープの長さがマンホールの深さより短い場合は、マンホールの途中までしか降りることができず、行動が制限されていた。また後者の場合は移動する度に頻繁にフックをステップに付け替えなくてはならず、マンホールの昇降に時間がかかっていた。
【先行技術文献】
【特許文献】
【０００５】
【特許文献１】実開平４−１３８４４２号公報
【特許文献２】実開昭５７−１９７５４４号公報
【特許文献３】実公昭４８−３４７５２号公報
【考案の概要】
【考案が解決しようとする課題】
【０００６】
そこで、本考案は、金属製昇降用ステップが危険な状態になっている既設マンホールの更生を簡単に行うことができ、しかも、作業員が安全且つスムーズにマンホールの昇降をすることが出来るマンホールを提供すると共に、これからの新設マンホールの製造の簡単化に役立つマンホール及びそれに用いるマンホール用梯子を提供しようとするものである。
【課題を解決するための手段】
【０００７】
本考案は、上記の課題を解決するためになされたもので、請求項１記載の考案は、マンホール蓋受枠本体の内側に梯子取付部を設け、この梯子取付部に梯子の上部を固定し、且つ前記梯子の側面にストッパー兼用連結部材を介して安全帯のフック取付杆を並設すると共に、この梯子の支柱のマンホール内壁に対向する側に、ベース部がマンホール内壁に接する適数の支持脚を設けたことを特徴とするマンホールである。
【０００８】
請求項２記載の考案は、支柱上部に前記マンホール蓋受枠に設けた梯子取付部に接続する梯子連結部材を設け、且つ前記支柱の側面にストッパー兼用連結部材を介して安全帯のフック取付杆を並設すると共に、前記支柱のマンホール内壁に対向する側に、ベース部がマンホール内壁に接する適数の支持脚を設けたことを特徴とするマンホール用梯子である。
【０００９】
梯子に設けた支持脚は、マンホールの内壁に固定しなくとも使用上問題はないが、安心のためにマンホールの内側にアンカーボルト等で止めてもよい。
【考案の効果】
【００１０】
本考案のマンホールは、マンホール蓋受枠の内側に支持脚付の梯子を吊下げる方式であるため、昇降ステップの更生を必要とする既設マンホールがあった場合、その既設マンホールの上部に設置したマンホール蓋受枠を本案の梯子取付部を備えたマンホール蓋受枠と交換するか、マンホール蓋受枠に梯子取付部を備えたものであれば、本案の梯子をその梯子取付部に取付けることにより更生作業は完了する。従って、マンホールの内壁に新しい金属ステップを取付けたり、梯子をマンホール内壁に取付けるよりも遥かに短時間で更生作業を終了することが出来るので、交通量の多い既設マンホールのステップ更生用マンホールの構造又は梯子として極めて有効な方法であり、工事費が安価に済むことと相俟って、頗る有益な考案である。
【００１１】
また、梯子は耐久性のある鋳物のマンホール蓋受枠に上部を取付ける構造であるため、耐久性及び保守性に優れている。
【００１２】
なお、通常支持脚をマンホール側壁に固定するが、固定していなくとも、昇降時に体は垂直ではなく、後に反った斜めの状態になり、梯子をマンホール側壁に向って押圧することになるので、昇降に支障を来たすことはない。念のため支持脚のベースに凹凸又はゴム片等の滑り止めを施せば昇降に不安を感じることはない。
【００１３】
そして、梯子の側面には安全帯のフック取付杆が並設されているため、昇降時にフックも梯子に沿って移動できるため作業員の行動が制限されることはない。また、フック取付杆はストッパー兼用連結部材を介して梯子に取付けられているため、梯子から落下しても、フックがストッパー兼用連結部材によって梯子の途中で係止されるので、作業員がマンホールの底部に叩き付けられることがない。ストッパー兼用連結部材は安全と作業性を考慮すると約１〜２ｍ間隔で設けることが適当である。
【図面の簡単な説明】
【００１４】
【図１】従来のマンホール蓋受枠の平面図。
【図２】本考案の実施例１のマンホールの平面図。
【図３】本考案の実施例１のマンホールの一部截断正面図。
【図４】本考案の実施例１のマンホールの一部截断側面図。
【図５】安全帯のフックをフック取付杆に係合した場合の拡大斜視図。
【実施例１】
【００１５】
図１は梯子取付部を備えた従来のマンホール蓋受枠の平面図、図２〜図４は本考案のマンホールの一実施例を示すもので、図２は平面図、図３はその一部截断正面図、図４はその一部截断側面図で、１はマンホール蓋受枠本体、２はマンホール蓋受枠本体１に設けられたハンドグリップ（梯子取付部）、３，３はハンドグリップ２に設けられた補助梯子挿入孔、４は梯子である。５は前記梯子４の側方に、ストッパー兼用連結部材６を介して取付けたフック取付杆、７，７は梯子４の支持脚、Ａ及びＢはマンホールを構成する直壁である。
【００１６】
図１に示すマンホール蓋受枠本体１には上記のように内側に補助梯子の左右の支柱の下端を挿入する補助梯子挿入孔３，３を設けたハンドグリップ２（梯子取付部）が設けられていて、前記補助梯子挿入孔３，３に補助梯子を装着することによって、マンホールを出入する際の手助けとしている。実施例１はこのマンホール蓋受枠本体１を使用したマンホールに本考案を適用した場合を示すもので、梯子４の上端に取付けられている梯子連結部材４１，４１をこのハンドグリップ２の補助梯子挿入孔３，３にボルト４２，４２とナット４３，４３により連結するようにしたものである。
【００１７】
そして梯子連結部材４１，４１に連結され吊下げられた梯子４の側面には、フック取付杆５が設けられていて、このフック取付杆５と梯子４の間には適宜間隔（約１〜２ｍ間隔）でストッパー兼用連結部材６が設けられている。また梯子４には支持脚７，７が設けられていて、そのベース部７１，７１が、直壁Ｂの内壁に接触するように作られていて、ベース部７１，７１はアンカー７２，７２によって直壁Ｂに固定されている。
【００１８】
以上のように本考案のマンホール及び梯子は構成されているので、マンホールが既設のものであって、ステップの更生を必要とする場合には、既設のマンホール蓋受枠を本考案にかかるマンホール蓋受枠に交換するか、図１に示すような補助梯子挿入孔３をマンホール蓋受枠本体１に備えたものでは、ハンドグリップ２に設けられた補助梯子挿入孔３を利用して本考案の梯子をマンホール蓋受枠本体１に取付けるだけで、マンホールの更生作業が完了することになる。
【００１９】
従って、請求項１記載の本考案のマンホールの構成とするか、あるいは本考案の梯子を適用することにより、コンクリートが劣化した既設マンホールの内壁に新たにステップを取付けたり、梯子をマンホール内壁に固定したりする方法より、遥かに更生作業が簡単で、工事コストを低減させることができる。
【００２０】
この実施例に例示した新しいマンホールの構造によると、仮に梯子４に支障を生じた時でも、梯子４は簡単に取り替えることができるので、更生作業は容易であり、しかもマンホールを構成する直壁、片斜壁、両斜壁を製造する場合、従来のようにステップを植設するための複雑な型枠と、面倒な型枠の組立及び取り外し作業がなくなるので、マンホール製造のコストダウンに役立つ効果があり、新しいタイプのマンホールの構造として優れている。
【００２１】
また、本考案のマンホールの構成によれば、安全帯のフックを取付けるフック取付杆５が、梯子４の長手方向に沿って設けられているため、図５に示すように安全帯のロープ８のフック９を前記フック取付杆５に係合させることにより作業員のマンホールの昇降がスムーズに行うことができ、また作業員が手や足を滑らして落下したとしても、フック９がストッパー兼用連結部材６に引っ掛り、落下を梯子４の途中で止めることが出来るため、作業員が高所からマンホールの底部に叩き付けられることを防止することが出来る。
【符号の説明】
【００２２】
１      マンホール蓋受枠本体
２      ハンドグリップ
３      補助梯子挿入孔
４      梯子
４１    梯子連結部材
４２    ボルト
４３    ナット
５      フック取付杆
６      ストッパー兼用連結部材
７      支持脚
７１    ベース部
７２    アンカー
８      ロープ
９      フック
Ａ，Ｂ  直壁
【図１】
0003157590.tif 000003
【図２】
0003157590.tif 000004
【図３】
0003157590.tif 000005
【図４】
0003157590.tif 000006
【図５】
0003157590.tif 000007
【手続補正書】
【提出日】平成21年12月9日(2009.12.9)
【手続補正１】
【補正対象書類名】実用新案登録請求の範囲
【補正対象項目名】請求項２
【補正方法】変更
【補正の内容】
【請求項２】
支柱上部にマンホール蓋受枠に設けた梯子取付部に接続する梯子連結部材を設け、且つ前記支柱の側面にストッパー兼用連結部材を介して安全帯のフック取付杆を並設すると共に、前記支柱のマンホール内壁に対向する側に、ベース部がマンホール内壁に接する適数の支持脚を設けたことを特徴とするマンホール用梯子。
【手続補正２】
【補正対象書類名】明細書
【補正対象項目名】０００８
【補正方法】変更
【補正の内容】
【０００８】
請求項２記載の考案は、支柱上部にマンホール蓋受枠に設けた梯子取付部に接続する梯子連結部材を設け、且つ前記支柱の側面にストッパー兼用連結部材を介して安全帯のフック取付杆を並設すると共に、前記支柱のマンホール内壁に対向する側に、ベース部がマンホール内壁に接する適数の支持脚を設けたことを特徴とするマンホール用梯子である。